(57)【特許請求の範囲】
【請求項１】
モータを停止させるリミットスイッチと、そのリミットスイッチを作動させるカム部材とを備え、前記モータにより開閉駆動されるビニールハウス等の換気窓の開閉度を調整する換気窓の開閉制御装置において、
前記リミットスイッチは、一の方向に回動する前記モータの回動を停止させる開動作停止スイッチと、
他の方向に回動する前記モータの回動を停止させる閉動作停止スイッチと、
その閉動作停止スイッチ及び開動作停止スイッチが作動しない場合に前記モータの回動を停止させる誤動作防止用スイッチとを備え、
前記カム部材は、前記モータが一の方向に回動し前記換気窓が所定の開度に達した場合に前記開動作停止スイッチを作動させる板カム状の全開カムと、
前記モータが他の方向に回動し前記換気窓が所定の閉度に達した場合に前記閉動作停止スイッチを作動させる板カム状の全閉カムと、
前記換気窓が所定の開度を越えても前記モータが停止しない場合に前記誤動作防止用スイッチを作動させる板カム状の開安全カムと、
前記換気窓が所定の閉度を越えても前記モータが停止しない場合に前記誤動作防止用スイッチを作動させる板カム状の閉安全カムと、
これら全開カム、全閉カム、開安全カム及び閉安全カムを互いの相対位置を調整自在に連結して固定する固定手段と、
その固定手段によって連結固定されユニット化された全開カム、全閉カム、開安全カム及び閉安全カムを前記換気窓の開閉度に応じて回動する回転軸に取着する取着手段と、
前記回転軸に取着されるベース部材とを備えており、
そのベース部材に前記全開カム、全閉カム、開安全カム及び閉安全カムが少なくとも２以上の固定手段により前記ベース部材との相対位置を調整自在に固定されていることを特徴とする換気窓の開閉制御装置。
【請求項２】
モータを停止させるリミットスイッチと、そのリミットスイッチを作動させるカム部材とを備え、前記モータにより開閉駆動されるビニールハウス等の換気窓の開閉度を調整する換気窓の開閉制御装置において、
前記リミットスイッチは、一の方向に回動する前記モータの回動を停止させる開動作停止スイッチと、
他の方向に回動する前記モータの回動を停止させる閉動作停止スイッチと、
その閉動作停止スイッチ及び開動作停止スイッチが作動しない場合に前記モータの回動を停止させる誤動作防止用スイッチとを備え、
前記カム部材は、前記モータが一の方向に回動し前記換気窓が所定の開度に達した場合に前記開動作停止スイッチを作動させる板カム状の全開カムと、
前記モータが他の方向に回動し前記換気窓が所定の閉度に達した場合に前記閉動作停止スイッチを作動させる板カム状の全閉カムと、
前記換気窓が所定の開度を越えても前記モータが停止しない場合に前記誤動作防止用スイッチを作動させる板カム状の開安全カムと、
前記換気窓が所定の閉度を越えても前記モータが停止しない場合に前記誤動作防止用スイッチを作動させる板カム状の閉安全カムと、
これら全開カム、全閉カム、開安全カム及び閉安全カムを互いの相対位置を調整自在に連結して固定する固定手段と、
その固定手段によって連結固定されユニット化された全開カム、全閉カム、開安全カム及び閉安全カムを前記換気窓の開閉度に応じて回動する回転軸に取着する取着手段と、
前記全開カムと開安全カムとを、又は、前記全閉カムと閉安全カムとを所定の相対位置で連結された状態に保持する位置保持手段とを備え、
前記位置保持手段は、前記全開カムと開安全カムとが、又は前記全閉カムと閉安全カムとが連結される対向面の一方の面に設けられ前記回転軸の軸方向に沿って突設された突起と、前記対向面の他方の面に設けられ前記突起と嵌合可能に形成された嵌合穴とを備えていることを特徴とする換気窓の開閉制御装置。
【請求項３】
モータを停止させるリミットスイッチと、そのリミットスイッチを作動させるカム部材とを備え、前記モータにより開閉駆動されるビニールハウス等の換気窓の開閉度を調整する換気窓の開閉制御装置において、
前記リミットスイッチは、一の方向に回動する前記モータの回動を停止させる開動作停止スイッチと、
他の方向に回動する前記モータの回動を停止させる閉動作停止スイッチと、
その閉動作停止スイッチ及び開動作停止スイッチが作動しない場合に前記モータの回動を停止させる誤動作防止用スイッチとを備え、
前記カム部材は、前記モータが一の方向に回動し前記換気窓が所定の開度に達した場合に前記開動作停止スイッチを作動させる板カム状の全開カムと、
前記モータが他の方向に回動し前記換気窓が所定の閉度に達した場合に前記閉動作停止スイッチを作動させる板カム状の全閉カムと、
前記換気窓が所定の開度を越えても前記モータが停止しない場合に前記誤動作防止用スイッチを作動させる板カム状の開安全カムと、
前記換気窓が所定の閉度を越えても前記モータが停止しない場合に前記誤動作防止用スイッチを作動させる板カム状の閉安全カムと、
これら全開カム、全閉カム、開安全カム及び閉安全カムを互いの相対位置を調整自在に連結して固定する固定手段と、
その固定手段によって連結固定されユニット化された全開カム、全閉カム、開安全カム及び閉安全カムを前記換気窓の開閉度に応じて回動する回転軸に取着する取着手段とを備え、
前記カム部材の全開カム、全閉カム、開安全カム及び閉安全カムは、その外縁に突設された凸部をそれぞれ備えており、
前記リミットスイッチは、その凸部により押止された場合に作動することを特徴とする換気窓の開閉制御装置。
【請求項４】
モータを停止させるリミットスイッチと、そのリミットスイッチを作動させるカム部材とを備え、前記モータにより開閉駆動されるビニールハウス等の換気窓の開閉度を調整する換気窓の開閉制御装置において、
前記リミットスイッチは、一の方向に回動する前記モータの回動を停止させる開動作停止スイッチと、
他の方向に回動する前記モータの回動を停止させる閉動作停止スイッチと、
その閉動作停止スイッチ及び開動作停止スイッチが作動しない場合に前記モータの回動を停止させる誤動作防止用スイッチとを備え、
前記カム部材は、前記モータが一の方向に回動し前記換気窓が所定の開度に達した場合に前記開動作停止スイッチを作動させる板カム状の全開カムと、
前記モータが他の方向に回動し前記換気窓が所定の閉度に達した場合に前記閉動作停止スイッチを作動させる板カム状の全閉カムと、
前記換気窓が所定の開度を越えても前記モータが停止しない場合に前記誤動作防止用スイッチを作動させる板カム状の開安全カムと、
前記換気窓が所定の閉度を越えても前記モータが停止しない場合に前記誤動作防止用スイッチを作動させる板カム状の閉安全カムと、
これら全開カム、全閉カム、開安全カム及び閉安全カムを互いの相対位置を調整自在に連結して固定する固定手段と、
その固定手段によって連結固定されユニット化された全開カム、全閉カム、開安全カム及び閉安全カムを前記換気窓の開閉度に応じて回動する回転軸に取着する取着手段とを備え、
前記カム部材を構成する少なくとも１の部品の外縁には、等間隔に刻まれた目盛が設けられることを特徴とする換気窓の開閉制御装置。
【請求項５】
モータを停止させるリミットスイッチと、そのリミットスイッチを作動させるカム部材とを備え、前記モータにより開閉駆動されるビニールハウス等の換気窓の開閉度を調整する換気窓の開閉制御装置において、
前記リミットスイッチは、一の方向に回動する前記モータの回動を停止させる開動作停止スイッチと、
他の方向に回動する前記モータの回動を停止させる閉動作停止スイッチと、
その閉動作停止スイッチ及び開動作停止スイッチが作動しない場合に前記モータの回動を停止させる誤動作防止用スイッチとを備え、
前記カム部材は、前記モータが一の方向に回動し前記換気窓が所定の開度に達した場合に前記開動作停止スイッチを作動させる板カム状の全開カムと、
前記モータが他の方向に回動し前記換気窓が所定の閉度に達した場合に前記閉動作停止スイッチを作動させる板カム状の全閉カムと、
前記換気窓が所定の開度を越えても前記モータが停止しない場合に前記誤動作防止用スイッチを作動させる板カム状の開安全カムと、
前記換気窓が所定の閉度を越えても前記モータが停止しない場合に前記誤動作防止用スイッチを作動させる板カム状の閉安全カムと、
これら全開カム、全閉カム、開安全カム及び閉安全カムを互いの相対位置を調整自在に連結して固定する固定手段と、
その固定手段によって連結固定されユニット化された全開カム、全閉カム、開安全カム及び閉安全カムを前記換気窓の開閉度に応じて回動する回転軸に取着する取着手段とを備え、
前記固定手段は、前記カム部材の構成部品のいずれかに設けられた締結穴と、その締結穴に螺合される固定ビスと、その固定ビスが貫通されると共にその固定ビスの外径よりも大きな外形で前記全開カム、全閉カム、開安全カム及び閉安全カムに穿設された調整孔とを備えていることを特徴とする換気窓の開閉制御装置。
【請求項６】
請求項１から５のいずれかに記載の換気窓の開閉制御装置に使用されるものであることを特徴とするカム部材。
【発明の詳細な説明】
【０００１】
【発明の属する技術分野】
本発明は、換気窓の開閉制御装置及びその開閉制御装置に使用されるカム部材に関し、特に、リミットスイッチを作動させるカム部材の取付作業を簡略化すると共に、リミットスイッチを所望のタイミングで作動させることができる換気窓の開閉制御装置及びその開閉制御装置に使用されるカム部材に関するものである。
【０００２】
【従来の技術】
近年、ビニールハウスやガラスハウス等の温室または工場若しくは倉庫などでは、室温を適温に保持するための温度管理がなされている。この温度管理には、換気扇による強制換気では換気量の不足や効率の悪さから十分に冷暖房することができないため、換気窓による自然換気が利用されている。この自然換気を利用した温度管理には、天窓や側窓などの換気窓を自動的に開閉する開閉制御装置が利用され、この開閉制御装置が換気窓の開閉度を調整することにより、室温が適温に保持される。
【０００３】
図６は、従来、温室５０等に利用されている換気窓５２の開閉制御装置６０を模式的に示した断面図である。開閉制御装置６０は換気窓５２の直下に設置されており、動力源とするモータ６１、そのモータ６１の回動を窓開閉軸６２に減速して伝達する減速器６３等を備えている。モータ６１の回動は、減速器６３により減速されて窓開閉軸６２に伝達され、この伝達によって窓開閉軸６２が回動する。窓開閉軸６２には、図示しないピニオンが固定され、そのピニオンにはラック６４がかみ合わされている。よって、窓開閉軸６２の回動は、ピニオンを介してラック６４に伝達され、その伝達によってラック６４が上下移動する。その結果、ラック６４の上下移動に連動し、換気窓５２が開閉するのである。
【０００４】
ここで、換気窓の開けすぎや閉めすぎは、換気窓周辺の部材や開閉制御装置に余計な負荷を掛け、換気窓周辺の部材を破損させたり、開閉制御装置を故障させる原因となるので、所定の開閉範囲内で換気窓を開閉させることが必要である。
【０００５】
そこで、開閉制御装置は、一般に、モータの正転・逆転をそれぞれ停止させるスイッチ及び誤動作時用スイッチからなるリミットスイッチと、そのリミットスイッチを作動させる４つのカム部材とを備え、この４つのカム部材を換気窓の開閉度に応じて回動する回動軸に取着している。具体的には、４つのカム部材をそれぞれ換気窓の開閉位置に対応するよう適宜調整しつつ回動軸に取着することにより、リミットスイッチを適切なタイミングで作動させ、その結果、換気窓を所定の開閉範囲内で開閉させるのである。
【０００６】
【発明が解決しようとする課題】
しかしながら、この開閉制御装置では、１台の開閉制御装置に対して４つのカム部材をそれぞれ調整する必要があるため、作業に手間がかかる。そのため、作業時間が増大し、その分、設置コストが増大するという問題点があった。特に、農業用温室等の大規模な温室では、開閉制御装置が多数使用されるため、この問題が顕著であった。
【０００７】
このため、特許第２６４１０２６号公報には、調整作業を簡略化することができる開閉制御装置が開示されている。この開閉制御装置では、４つのカム部材を全開用及び全閉用の２組に分け、それぞれ一体化して２つのカム部材としている。よって、１台の開閉制御装置に対して全開用及び全閉用の２つのカム部材を調整すればよく、調整を簡略化することができる。しかし、このカム部材の調整は、４つのカム部材を調整するときと同様、全開用及び全閉用の２つのカム部材を別々に調整する必要があり、未だ手間が多くかかるという問題点があった。また、４つのカム部材を２組に分けてそれぞれ一体化したので、４つのカム部材が別々にされていたときに比して調整の自由度が制限され、リミットスイッチを所望のタイミングで作動させることができないという問題点があった。
【０００８】
本発明は上述した問題点を解決するためになされたものであり、リミットスイッチを作動させるカム部材の取付作業を簡略化すると共に、リミットスイッチを所望のタイミングで作動させることができる換気窓の開閉制御装置及びその開閉制御装置に使用されるカム部材を提供することを目的としている。
【０００９】
【課題を解決するための手段】
この目的を達成するために、請求項１記載の換気窓の開閉制御装置は、モータを停止させるリミットスイッチと、そのリミットスイッチを作動させるカム部材とを備え、前記モータにより開閉駆動されるビニールハウス等の換気窓の開閉度を調整するものであり、前記リミットスイッチは、一の方向に回動する前記モータの回動を停止させる開動作停止スイッチと、他の方向に回動する前記モータの回動を停止させる閉動作停止スイッチと、その閉動作停止スイッチ及び開動作停止スイッチが作動しない場合に前記モータの回動を停止させる誤動作防止用スイッチとを備え、前記カム部材は、前記モータが一の方向に回動し前記換気窓が所定の開度に達した場合に前記開動作停止スイッチを作動させる板カム状の全開カムと、前記モータが他の方向に回動し前記換気窓が所定の閉度に達した場合に前記閉動作停止スイッチを作動させる板カム状の全閉カムと、前記換気窓が所定の開度を越えても前記モータが停止しない場合に前記誤動作防止用スイッチを作動させる板カム状の開安全カムと、前記換気窓が所定の閉度を越えても前記モータが停止しない場合に前記誤動作防止用スイッチを作動させる板カム状の閉安全カムと、これら全開カム、全閉カム、開安全カム及び閉安全カムを互いの相対位置を調整自在に連結して固定する固定手段と、その固定手段によって連結固定されユニット化された全開カム、全閉カム、開安全カム及び閉安全カムを前記換気窓の開閉度に応じて回動する回転軸に取着する取着手段と、前記回転軸に取着されるベース部材とを備えており、そのベース部材に前記全開カム、全閉カム、開安全カム及び閉安全カムが少なくとも２以上の固定手段により前記ベース部材との相対位置を調整自在に固定されている。
【００１０】
この請求項１記載の換気窓の開閉制御装置によれば、カム部材は、全開カム、全閉カム、開安全カム及び閉安全カムが固定手段により連結固定されユニット化される。そのユニット化されたカム部材は、取着手段により回転軸に取着される。ここで、一の方向へモータが回動すると、かかる回動によって換気窓が開放駆動されると共に、その換気窓の開閉度に応じて回動する回転軸に取着されたカム部材が一方へ回動する。換気窓が所定の開度に達すると、カム部材の全開カムが開動作停止スイッチを作動させ、モータの回動を停止させる。換気窓が所定の開度を越えてもモータが回動し続けると、カム部材の開安全カムが、誤動作防止用スイッチを作動させ、モータの回動を停止させる。
【００１１】
また、他の方向へモータが回動すると、かかる回動によって換気窓が閉鎖駆動されると共に、カム部材が他方へ回動する。換気窓が所定の閉度に達すると、カム部材の全閉カムが閉動作停止スイッチを作動させ、モータの回動を停止させる。換気窓が所定の閉度を越えてもモータが回動し続けると、カム部材の閉安全カムが、誤動作防止用スイッチを作動させ、モータの回動を停止させる。
【００１２】
【００１３】
請求項２記載の換気窓の開閉制御装置は、モータを停止させるリミットスイッチと、そのリミットスイッチを作動させるカム部材とを備え、前記モータにより開閉駆動されるビニールハウス等の換気窓の開閉度を調整するものであり、前記リミットスイッチは、一の方向に回動する前記モータの回動を停止させる開動作停止スイッチと、他の方向に回動する前記モータの回動を停止させる閉動作停止スイッチと、その閉動作停止スイッチ及び開動作停止スイッチが作動しない場合に前記モータの回動を停止させる誤動作防止用スイッチとを備え、前記カム部材は、前記モータが一の方向に回動し前記換気窓が所定の開度に達した場合に前記開動作停止スイッチを作動させる板カム状の全開カムと、前記モータが他の方向に回動し前記換気窓が所定の閉度に達した場合に前記閉動作停止スイッチを作動させる板カム状の全閉カムと、前記換気窓が所定の開度を越えても前記モータが停止しない場合に前記誤動作防止用スイッチを作動させる板カム状の開安全カムと、前記換気窓が所定の閉度を越えても前記モータが停止しない場合に前記誤動作防止用スイッチを作動させる板カム状の閉安全カムと、これら全開カム、全閉カム、開安全カム及び閉安全カムを互いの相対位置を調整自在に連結して固定する固定手段と、その固定手段によって連結固定されユニット化された全開カム、全閉カム、開安全カム及び閉安全カムを前記換気窓の開閉度に応じて回動する回転軸に取着する取着手段と、前記全開カムと開安全カムとを、又は、前記全閉カムと閉安全カムとを所定の相対位置で連結された状態に保持する位置保持手段とを備え、前記位置保持手段は、前記全開カムと開安全カムとが、又は前記全閉カムと閉安全カムとが連結される対向面の一方の面に設けられ前記回転軸の軸方向に沿って突設された突起と、前記対向面の他方の面に設けられ前記突起と嵌合可能に形成された嵌合穴とを備えている。
【００１４】
【００１５】
請求項３記載の換気窓の開閉制御装置は、モータを停止させるリミットスイッチと、そのリミットスイッチを作動させるカム部材とを備え、前記モータにより開閉駆動されるビニールハウス等の換気窓の開閉度を調整するものであり、前記リミットスイッチは、一の方向に回動する前記モータの回動を停止させる開動作停止スイッチと、他の方向に回動する前記モータの回動を停止させる閉動作停止スイッチと、その閉動作停止スイッチ及び開動作停止スイッチが作動しない場合に前記モータの回動を停止させる誤動作防止用スイッチとを備え、前記カム部材は、前記モータが一の方向に回動し前記換気窓が所定の開度に達した場合に前記開動作停止スイッチを作動させる板カム状の全開カムと、前記モータが他の方向に回動し前記換気窓が所定の閉度に達した場合に前記閉動作停止スイッチを作動させる板カム状の全閉カムと、前記換気窓が所定の開度を越えても前記モータが停止しない場合に前記誤動作防止用スイッチを作動させる板カム状の開安全カムと、前記換気窓が所定の閉度を越えても前記モータが停止しない場合に前記誤動作防止用スイッチを作動させる板カム状の閉安全カムと、これら全開カム、全閉カム、開安全カム及び閉安全カムを互いの相対位置を調整自在に連結して固定する固定手段と、その固定手段によって連結固定されユニット化された全開カム、全閉カム、開安全カム及び閉安全カムを前記換気窓の開閉度に応じて回動する回転軸に取着する取着手段とを備え、前記カム部材の全開カム、全閉カム、開安全カム及び閉安全カムは、その外縁に突設された凸部をそれぞれ備えており、前記リミットスイッチは、その凸部により押止された場合に作動する。
【００１６】
請求項４記載の換気窓の開閉制御装置は、モータを停止させるリミットスイッチと、そのリミットスイッチを作動させるカム部材とを備え、前記モータにより開閉駆動されるビニールハウス等の換気窓の開閉度を調整するものであり、前記リミットスイッチは、一の方向に回動する前記モータの回動を停止させる開動作停止スイッチと、他の方向に回動する前記モータの回動を停止させる閉動作停止スイッチと、その閉動作停止スイッチ及び開動作停止スイッチが作動しない場合に前記モータの回動を停止させる誤動作防止用スイッチとを備え、前記カム部材は、前記モータが一の方向に回動し前記換気窓が所定の開度に達した場合に前記開動作停止スイッチを作動させる板カム状の全開カムと、前記モータが他の方向に回動し前記換気窓が所定の閉度に達した場合に前記閉動作停止スイッチを作動させる板カム状の全閉カムと、前記換気窓が所定の開度を越えても前記モータが停止しない場合に前記誤動作防止用スイッチを作動させる板カム状の開安全カムと、前記換気窓が所定の閉度を越えても前記モータが停止しない場合に前記誤動作防止用スイッチを作動させる板カム状の閉安全カムと、これら全開カム、全閉カム、開安全カム及び閉安全カムを互いの相対位置を調整自在に連結して固定する固定手段と、その固定手段によって連結固定されユニット化された全開カム、全閉カム、開安全カム及び閉安全カムを前記換気窓の開閉度に応じて回動する回転軸に取着する取着手段とを備え、前記カム部材を構成する少なくとも１の部品の外縁には、等間隔に刻まれた目盛が設けられる。
【００１７】
請求項５記載の換気窓の開閉制御装置は、モータを停止させるリミットスイッチと、そのリミットスイッチを作動させるカム部材とを備え、前記モータにより開閉駆動されるビニールハウス等の換気窓の開閉度を調整するものであり、前記リミットスイッチは、一の方向に回動する前記モータの回動を停止させる開動作停止スイッチと、他の方向に回動する前記モータの回動を停止させる閉動作停止スイッチと、その閉動作停止スイッチ及び開動作停止スイッチが作動しない場合に前記モータの回動を停止させる誤動作防止用スイッチとを備え、前記カム部材は、前記モータが一の方向に回動し前記換気窓が所定の開度に達した場合に前記開動作停止スイッチを作動させる板カム状の全開カムと、前記モータが他の方向に回動し前記換気窓が所定の閉度に達した場合に前記閉動作停止スイッチを作動させる板カム状の全閉カムと、前記換気窓が所定の開度を越えても前記モータが停止しない場合に前記誤動作防止用スイッチを作動させる板カム状の開安全カムと、前記換気窓が所定の閉度を越えても前記モータが停止しない場合に前記誤動作防止用スイッチを作動させる板カム状の閉安全カムと、これら全開カム、全閉カム、開安全カム及び閉安全カムを互いの相対位置を調整自在に連結して固定する固定手段と、その固定手段によって連結固定されユニット化された全開カム、全閉カム、開安全カム及び閉安全カムを前記換気窓の開閉度に応じて回動する回転軸に取着する取着手段とを備え、前記固定手段は、前記カム部材の構成部品のいずれかに設けられた締結穴と、その締結穴に螺合される固定ビスと、その固定ビスが貫通されると共にその固定ビスの外径よりも大きな外形で前記全開カム、全閉カム、開安全カム及び閉安全カムに穿設された調整孔とを備えている。
【００１８】
請求項６記載のカム部材は、請求項１から５のいずれかに記載の換気窓の開閉制御装置に使用されるものである。
【００１９】
【発明の実施の形態】
以下、本発明の好ましい実施例について、添付図面を参照して説明する。図１は本発明の開閉制御装置１の正面図である。なお、図１においては、理解の容易のために、リミットスイッチボックス６は、外形のみを２点鎖線で表示し、内部を透視して示している。
【００２０】
開閉制御装置１は、温室の換気窓を室温や天候に応じて自動的に開閉制御するための装置である。この開閉制御装置１は、正逆回動するモータ２と、そのモータ２の回動を減速する減速器３と、その減速器３により減速されたモータ２の回動を減速器３の外部に伝達する駆動軸３ａ及び回転軸３ｂと、その回転軸３ｂに取着され駆動軸３ａに連動して回動するカム部材４と、そのカム部材４に接触可能に配設されモータ２を停止させるリミットスイッチ５とを備えている。
【００２１】
モータ２は、図示しない換気窓を開閉させるための動力を発生するものである。このモータ２は、電気回路上でリミットスイッチ５に接続され、換気窓が予め調整された開閉度を超えると、その回動がリミットスイッチ５によって停止されるようになっている。なお、開閉度とは、窓が閉鎖された状態を含めた窓の開量を表すものとする。
【００２２】
減速器３は、モータ２の回動を減速して駆動軸３ａに伝達させる為のものである。この減速器３には、モータ２の駆動軸（プーリー２ａ）とＶベルト３ｃにより連結されるプーリー３ｄが設けられており、そのプーリー３ｄには、ウォームギヤ及びウォーム等の減速ギヤ（図示せず）が本体３ｅの内部に収容されつつ連結されている。よって、モータ２の回動は、Ｖベルト３ｃを介してプーリー３ｄに伝達され、プーリー３ｄの回動は、減速ギヤによって減速されつつ駆動軸３ａに伝達される。
【００２３】
その駆動軸３ａには、リンク機構やラックピニオン機構等の開閉機構を介して換気窓が連結されており、駆動軸３ａの回動によって換気窓が開閉する。モータ２の回動は、上記した減速器３によって減速されて駆動軸３ａに伝達されるので、駆動軸３ａは、高トルクで回動して換気窓を開閉することができる。
【００２４】
また、減速器３は、減速ギヤ（図示せず）を有するギヤボックス３ｆを備え、そのギヤボックス３ｆには回転軸３ｂが連結されている。ギヤボックス３ｆは、減速器３により減速されたモータ２の回動を更に減速するためのものであり、モータ２の回動は、減速器３及びギヤボックス３ｆを介して回転軸３ｂに伝達される。
【００２５】
ここで、ギヤボックス３ｆの減速比は、換気窓が全閉状態から全開状態まで駆動された場合、即ち、駆動軸３ａが一の方向に所定回転（例えば、３０回転）だけ回動した場合に、回転軸３ｂの回転量が１回転以下となるように設定されている。そのため、換気窓の開閉度は、全閉状態での回転軸３ｂの位置を基準とした回転角として現すことができる。例えば、本実施例の回転軸３ｂは、図４に示す側面視で、換気窓が開放されるに従い右回りに回動し、全閉状態から全開状態となるまでに略３／４周回転するようになっている。一方、換気窓が閉鎖される場合には、本実施例の回転軸３ｂは、左回り（図４反時計回り）に回動し、全開状態から全閉状態となるまでに略３／４周回転するようになっている。
【００２６】
カム部材４は、駆動軸３ａと連動して回動される回転軸３ｂに取着され、そのカム部材４と接触可能に配設されたリミットスイッチ５を作動させるものである。このカム部材４は、リミットスイッチ５と共に、設置後にほこりやゴミなどの付着により作動を妨害されないように、減速器３のギヤボックス３ｆに連結されたリミットスイッチボックス６内に収容されている。
【００２７】
次に、図２を参照して、本実施例のカム部材４について説明する。図２は、本実施例のカム部材４を分解して示した斜視図である。なお、図２においては、各部材の外縁に設けられた溝１０ｆ，１３ｆ，１４ｆは、形状を省略して線で示している。
【００２８】
カム部材４は、カム部材４の中央部に配設された円筒状のベース部材１０と、そのベース部材１０の一方の端面に連結される全開カム１２及び開安全カム１４と、その全開カム１２及び開安全カム１４とそれぞれ同一形状に形成されベース部材１０の他方の端面に連結される全閉カム１１及び閉安全カム１３と、その全閉カム１１及び閉安全カム１３と、全開カム１２及び開安全カム１４とをベース部材１０にそれぞれ別々に固定してカム部材４をユニット化する２つの固定ビス１５と、そのユニット化されたカム部材４を回転軸３ｂ（図１参照）に取着するための六角穴つきの止めねじ１６とを備えている。
【００２９】
ベース部材１０は、回転軸３ｂ（図１参照）が挿通される軸穴１０ａを有する円筒状に形成されており、その軸穴１０ａの外側には、固定ビス１５を螺合するためのねじ穴１０ｂが貫通して螺設されている。ねじ穴１０ｂは、軸穴１０ａの外周に沿って３箇所に等間隔に配設されている。このねじ穴１０ｂに固定ビス１５が螺合されて、全閉カム１１及び閉安全カム１３と、全開カム１２及び開安全カム１４とがベース部材１０の両端面にそれぞれ連結固定されることにより、カム部材４はユニット化される。
【００３０】
また、ベース部材１０には、その外縁から軸心へ向けてねじ穴１０ｃが螺設されている。このねじ穴１０ｃは軸穴１０ａに連通されており、ねじ穴１０ｃに螺合された止めねじ１６が回転軸３ｂ（図１参照）を押圧することにより、ユニット化されたカム部材４が回転軸３ｂに取着される。
【００３１】
ベース部材１０の一方の端面に連結される全開カム１２及び開安全カム１４は、換気窓が所定の開度に達した際に開放方向へのモータ２の回動を停止するリミットスイッチ５を作動させるものである。この全開カム１２及び開安全カム１４は、中央部に回転軸３ｂ（図１参照）が挿通される軸穴１２ｂ，１４ｂを有する円盤状に形成されており、それぞれの外縁にはリミットスイッチ５を作動させるための凸部１２ａ，１４ａが突設されている。
【００３２】
全開カム１２及び開安全カム１４には、軸穴１２ｂ，１４ｂの外周に沿って略１／３周長さの円弧状に穿設された調整孔１２ｃ，１４ｃがそれぞれ設けられる。この調整孔１２ｃ，１４ｃの径方向の開口幅は、固定ビス１５の雄ねじ部１５ａ外径より広く、頭部１５ｂの外形より狭く形成されている。
【００３３】
よって、全開カム１２及び開安全カム１４の調整孔１２ｃ，１４ｃに固定ビス１５を挿通し、かかる固定ビス１５をベース部材１０のねじ穴１０ｂに締め付けることにより、カム部材４をユニット化することができる。このとき、全開カム１２及び開安全カム１４とは、調整孔１２ｃ，１４ｃと雄ねじ部１５ａとの間に生じる隙間を利用してベース部材１０に対して略１／３周の範囲で回転可能な状態となっている。よって、ベース部材１０に対する全開カム１２及び開安全カム１４の相対位置を調整することができ、その結果、リミットスイッチ５を作動させるタイミングを自在に調整することができる。
【００３４】
また、全開カム１２及び開安全カム１４の回転可能な範囲外へ凸部１２ａ，１４ａを位置させる場合には、固定ビス１５を固定するねじ穴１０ｂを３箇所から別途選択する。この結果、全周にわたって所望の位置に凸部１２ａ，１４ａを位置させることができる。よって、リミットスイッチ５を作動させるタイミングを自在に調整することができる。
【００３５】
なお、調整孔１２ｃ，１４ｃは、円弧状に穿設される必要はなく、固定ビス１５の頭部１５ｂの一部分が側面視で全開カム１２の一部分に重なる形状であれば矩形状などの別形状でも良い。また、円弧状に穿設された調整孔１２ｃ，１４ｃの長さを略１／２周とすることにより、ベース部材１０に螺設するねじ穴１０ｂを減らすこともできる。
【００３６】
開安全カム１４には、全開カム１２に連結される側面であって回転軸３ｂ（図１参照）が貫通される軸穴１４ｂの軸方向に沿って２つの突起１４ｄが突設されている。また、全開カム１２には、開安全カム１４の突起１４ｄに嵌合可能な４つの嵌合穴１２ｄが穿設されている。
【００３７】
この４つの嵌合穴１２ｄの内、２つの嵌合穴１２ｄに突起１４ｄを差し込むことにより、開安全カム１４の凸部１４ａは、全開カム１２の凸部１２ａに対して周方向に略１０度ずれた位置へ配置される。また、別の２つの嵌合穴１２ｄに嵌合すると、開安全カム１４の凸部１４ａは、全開カム１２の凸部１２ａに対して周方向逆側に略１０度ずれた位置へ配置される。このように、突起１４ｄを嵌合穴１２ｄに嵌合することにより、全開カム１２の凸部１２ａに対して開安全カム１４の凸部１４ａを一定の相対位置へと位置させることができる。
【００３８】
なお、この２つの突起１４ｄは、直径２ｍｍ程度の円柱状に突設されている。そのため、必要に応じてペンチ等で容易に切除することができ、切除した場合には、全開カム１２の凸部１２ａに対する開安全カム１４の凸部１４ａを自由な位置へ連続的に調整することができる。
【００３９】
ベース部材１０の他方の端面に連結される全閉カム１１及び閉安全カム１３は、換気窓が所定の閉度に達した際に閉鎖方向へのモータ２の回動を停止するリミットスイッチ５を作動させるものである。その全閉カム１１は全開カム１２と略同一形状の部材が使用され、閉安全カム１３は開安全カム１４と略同一形状の部材が使用される。そこで、全閉カム１１及び閉安全カム１３に形成される各部位には、全開カム１２及び開安全カム１４と同一の記号を末尾につけてその説明を省略する。例えば、全開カム１２の軸穴１２ｂと同一形状に形成される全閉カム１１の軸穴は、軸穴１１ｂで表し、また、例えば、開安全カム１４の調整孔１４ｃと同一形状に形成される閉安全カム１３の調整孔は、調整孔１３ｃで表している。
【００４０】
ベース部材１０の両側にそれぞれ位置する閉安全カム１３と開安全カム１４とは、同一のリミットスイッチ５（誤動作防止用スイッチ５ｂ、図３参照）を作動させるものであり、ベース部材１０を挟んで互いに向かい合うように配置されている。この閉安全カム１３及び開安全カム１４の凸部１３ａ，１４ａは、半円状に突設された凸部１３ａ，１４ａがベース部材１０側へと突出し、ベース部材１０の軸方向に沿った長さの半分程度にまで延ばされている。このため、閉安全カム１３及び開安全カム１４の凸部１３ａ，１４ａは、ベース部材１０の上方に配置された同一のリミットスイッチ５（誤動作防止用スイッチ５ｂ）を共に作動させることができる。
【００４１】
ベース部材１０の外縁には、軸方向に沿って２種類の幅で穿設された複数の溝１０ｅ，１０ｆが設けられている。この複数の溝１０ｅ，１０ｆは、ユニット化された際に、構成部品の相対位置を確認するための目盛として利用するものである。この複数の溝１０ｅ，１０ｆには、周方向に９０度毎に設けられた太幅の溝１０ｅと、その太幅の溝１０ｅよりも細幅に形成され太幅の溝１０ｅ間を６等分する１５度毎に設けられた細幅の溝１０ｆとにより構成されている。
【００４２】
また、閉安全カム１３及び開安全カム１４には、溝１０ｅ，１０ｆと同一の間隔に穿設された溝１３ｅ，１３ｆ，１４ｅ，１４ｆが穿設されている。これらの溝も溝１０ｅ，１０ｆと同様に目盛として利用するものである。これらの溝１０ｅ，１０ｆ，１３ｅ，１３ｆ，１４ｅ，１４ｆを利用することにより、カム部材４をユニット化した際に、カム部材４の外縁に形成される４つの凸部１１ａ〜１４ａの相対位置を目盛に基づいて調整することができる。
【００４３】
なお、本実施例のカム部材４を構成するベース部材１０、全閉カム１１、全開カム１２、閉安全カム１３及び開安全カム１４は、アルミニウム合金を材料として切削加工により形成されている。しかし、これらカム部材４の構成部品は、鉄やステンレスを材料として形成しても良く、また、鋳造加工により形成しても良い。
【００４４】
次に、図３及び図４を参照して、カム部材４及びリミットスイッチ５について説明する。図３は、図１のカム部材４とリミットスイッチ５とを拡大して示した正面図であり、図４は、図３のカム部材４とリミットスイッチ５とを示した側面図である。なお、図３においては、溝１０ｅ，１０ｆ，１３ｅ，１３ｆ，１４ｅ，１４ｆは、理解の容易のために黒く塗り潰して示している。また、図４においては、リミットスイッチ５は、開動作停止スイッチ５ａのみを示し、誤動作防止用スイッチ５ｂ及び閉動作停止スイッチ５ｃを省略して示している。
【００４５】
カム部材４は、２つの固定ビス１５によりユニット化され、ベース部材１０に挿通された止めねじ１６により回転軸３ｂに固定されている。このカム部材４には、中央に配置されたベース部材１０に対し、そのベース部材１０より回転軸３ｂの根本側（図３の右側）に閉安全カム１３と全閉カム１１とが連結され、ベース部材１０より回転軸３ｂの先端側（図３の左側）に開安全カム１４と全開カム１２とが連結されている。
【００４６】
また、カム部材４は、図４に示すように、側面視で円形に形成されており、その外周に半円状に突設された４つの凸部１１ａ〜１４ａが周方向に沿って所定位置へ配置されている。これら凸部１１ａ〜１４ａが回転軸３ｂと共に回動し、後述するリミットスイッチ５のアクチュエータ２０ａ〜２０ｃを押下することにより、リミットスイッチ５が作動してモータ２の回動が停止する。
【００４７】
リミットスイッチ５は、モータ２の回動を停止させるためのものであり、カム部材４の凸部１１ａ〜１４ａに押されることにより作動する。このリミットスイッチ５は、全開カム１２と対応する位置に設けられその凸部１２ａに押されてオフとなる開動作停止スイッチ５ａと、ベース部材１０と対応する位置に設けられ閉安全カム１３及び開安全カム１４の凸部１３ａ，１４ａに押されてオフとなる誤動作防止用スイッチ５ｂと、全閉カム１１と対応する位置に設けられその凸部１１ａに押されてオフとなる閉動作停止スイッチ５ｃとで構成されている。
【００４８】
この開動作停止スイッチ５ａ、誤動作防止用スイッチ５ｂ及び閉動作停止スイッチ５ｃは、カム部材４に接触可能に設けられたアクチュエーター２０ａ〜２０ｃと、そのアクチュエーター２０ａ〜２０ｃの上方（図３の上側）に設けられた従動子２１ａ〜２１ｃとをそれぞれ備えている。なお、リミットスイッチ５の配置は、減速器３側（図３の右側）から順に、閉動作停止スイッチ５ｃ、誤動作防止用スイッチ５ｂ、開動作停止スイッチ５ａとなっている。
【００４９】
かかる開動作停止スイッチ５ａ、誤動作防止用スイッチ５ｂ及び閉動作停止スイッチ５ｃは、それぞれのアクチュエーター２０ａ〜２０ｃが所定量押されると、従動子２１ａ〜２１ｃを介して内部の接点をオフするものである。つまり、リミットスイッチ５は、通常はオンであり、従動子２１ａ〜２１ｃを押し込まれてオフするノーマルクローズ（Ｂ接点）で使用されるものである。リミットスイッチ５は、未使用状態が長期間続くと、従動子２１ａ〜２１ｃが固着して作動しづらいことがあるが、凸部１１ａ〜１４ａがリミットスイッチ５を押止することにより、従動子２１ａ〜２１ｃの固着を強制的に外してリミットスイッチ５を作動させることができるので、モータ２の回動を確実に停止させることができる。
【００５０】
ここで、図４に示す状態から、回転軸３ｂが右回りに回動すると、全開カム１２の凸部１２ａは回転軸３ｂの上方（図４の上側）へ位置し、開動作停止スイッチ５ａのアクチュエーター２０ａを押し上げる。アクチュエーター２０ａが所定量押し上げられると、そのアクチュエーター２０ａに従動する従動子２１ａを介して内部の接点がオフされ、開動作停止スイッチ５ａがオフとなる。なお、開動作停止スイッチ５ａは、凸部１２ａの最頂部より低い位置で作動させられる位置に配設されており、誤動作防止用スイッチ５ｂ及び閉動作停止スイッチ５ｃも側面視同一位置に配置されている。
【００５１】
更にカム部材４が右回りに略１０度回動すると、開安全カム１４の凸部１４ａが回転軸３ｂの上方（図４の上側）へ位置し、開動作停止スイッチ５ａの奥側（図４の紙面垂直方向奥側）に設けられた誤動作防止用スイッチ５ｂ（図示せず）のアクチュエーター２０ｂを上方（図４の上側）へと押し上げる。アクチュエーター２０ｂが所定量押し上げられると、そのアクチュエーター２０ｂに従動する従動子２１ｂを介して内部の接点がオフされ、誤動作防止用スイッチ５ｂがオフとなる。
【００５２】
一方、図４に示す状態から回転軸３ｂが左回りに略３／４周回動すると、全閉カム１１の凸部１１ａが回転軸３ｂの上方（図４の上側）へ位置し、閉動作停止スイッチ５ｃ（図示せず）のアクチュエーター２０ｃを押し上げる。アクチュエーター２０ｃが所定量押し上げられると、そのアクチュエーター２０ｃに従動する従動子２１ｃを介して内部の接点がオフされ、閉動作停止スイッチ５ｃがオフとなる。
【００５３】
更にカム部材４が左回りに略１０度回動すると、閉安全カム１３の凸部１３ａが回転軸３ｂの上方（図４の上側）へ位置し、誤動作防止用スイッチ５ｂ（図示せず）のアクチュエーター２０ｂを上方（図４の上側）へと押し上げる。アクチュエーター２０ｂが所定量押し上げられると、そのアクチュエーター２０ｂに従動する従動子２１ｂを介して内部の接点がオフされ、誤動作防止用スイッチ５ｂがオフとなる。
【００５４】
次に、図５を参照してリミットスイッチ５の結線について説明する。図５は、リミットスイッチ５の結線を示した回路図である。
【００５５】
リミットスイッチ５には、上述したように開動作停止スイッチ５ａ、閉動作停止スイッチ５ｃ及び誤動作防止用スイッチ５ｂとで構成されている。開動作停止スイッチ５ａは、換気窓が開放される正方向へのモータ２の回動を停止するためのものであり、閉動作停止スイッチ５ｃは、換気窓が閉鎖される逆方向へのモータ２の回動を停止するためのものである。誤動作防止用スイッチ５ｂは、開動作停止スイッチ５ａ及び閉動作停止スイッチ５ｃが作動しない場合に、モータ２の正・逆両方向への回動を停止させるものである。
【００５６】
そのため、図５（ａ）に示すように、リミットスイッチ５の結線は、開動作停止スイッチ５ａと閉動作停止スイッチ５ｃとが並列にされ、その閉動作停止スイッチ５ｃ及び開動作停止スイッチ５ａと誤動作防止用スイッチ５ｂとが直列にされている。よって、開動作停止スイッチ５ａ又は閉動作停止スイッチ５ｃが故障により作動しない場合でも、誤動作防止用スイッチ５ｂにより確実に回路は遮断され、モータ２は停止させられる。
【００５７】
換気窓が全閉した状態における開閉制御装置１のリミットスイッチ５は、図５（ｂ）に示すように、開動作停止スイッチ５ａ及び誤動作防止用スイッチ５ｂはオン、閉動作停止スイッチ５ｃがオフの状態になっている。つまり、全閉カム１１の凸部１１ａが回転軸３ｂの上方（図４の上側）へ位置して閉動作停止スイッチ５ｃをオフさせた状態となっている。図示しない操作部の閉鎖用ボタン（換気窓が閉鎖する方向へモータ２を回動させるボタン）は、オフされた閉動作停止スイッチ５ｃに直列に設けられているので、換気窓を閉鎖させる方向へのモータ２の回動は不能とされている。
【００５８】
一方、オン状態の開動作停止スイッチ５ａには、図示しない操作部の開放用ボタンが直列に設けられ、換気窓の開放方向へのモータ２の回動は可能とされている。そのため、図５（ｂ）の状態（全閉）から、開放用ボタンを押すと、モータ２は正方向へ回動すると共に、駆動軸３ａが回動される。駆動軸３ａの回動に連動して、駆動軸３ａに連係された開閉機構を介して換気窓は開放される。正方向へのモータ２の回動は回転軸３ｂにも伝達され、その回転軸３ｂに取着されたカム部材４を開放方向（図４の右回り）へと回動させる。
【００５９】
カム部材４が開放方向へ回動し始めると、閉動作停止スイッチ５ｃは、全閉カム１１の凸部１１ａが閉動作停止スイッチ５ｃのアクチュエーター２０ｃから離間してオンとなる（図５（ａ）の状態）。カム部材４が開放方向（図４の右回り）へ略３／４周回動して全開カム１２の凸部１２ａが回転軸３ｂの上方（図４の上側）へ位置すると、アクチュエーター２０ａを押された開動作停止スイッチ５ａがオフとなり（図５（ｃ）の状態）、正方向へのモータ２の回動は停止する。全閉カム１１の凸部１１ａと全開カム１２の凸部１２ａとは、換気窓の開閉前に所定の開閉度に応じた位置へと調整されており、換気窓は所定の開度に達して停止する。
【００６０】
全開カム１２の凸部１２ａが開動作停止スイッチ５ａのアクチュエーター２０ｃを所定量押さえても、開動作停止スイッチ５ａが故障により作動しなければ（図５（ａ）の状態）、モータ２は正方向へ回動し続けて換気窓が更に開放されると共に、カム部材４も開放方向（図４の右回り）へ回動し続ける。開安全カム１４の凸部１４ａが回転軸３ｂの上方（図４の上側）に位置すると、誤動作防止用スイッチ５ｂがオフとなり（図５（ｄ）の状態）、正方向へのモータ２の回動は停止する。
【００６１】
また、所定の開放状態（図５（ｃ）の状態）で、図示しない操作部の閉鎖用ボタンを押せば、モータ２は逆方向へ回動すると共に、駆動軸３ａが回動される。駆動軸３ａの回動に連動して、駆動軸３ａに連係された開閉機構を介して換気窓は閉鎖される。逆方向へのモータ２の回動は回転軸３ｂにも伝達され、その回転軸３ｂに取着されたカム部材４を閉鎖方向（図４の左回り）へと回動させる。
【００６２】
カム部材４が閉鎖方向へ回動し始めると、開動作停止スイッチ５ａは、全開カム１２の凸部１２ａが開動作停止スイッチ５ａのアクチュエーター２０ａから離間してオンとなる（図５（ａ）の状態）。カム部材４が閉鎖方向（図４の左回り）へ略３／４周回動して全閉カム１１の凸部１１ａが回転軸３ｂの上方（図４の上側）へ位置すると、アクチュエーター２０ｃを押された閉動作停止スイッチ５ｃがオフとなり（図５（ｂ）の状態）、逆方向へのモータ２の回動は停止する。換気窓は、所定の閉度に達して停止する。
【００６３】
全閉カム１１の凸部１１ａが閉動作停止スイッチ５ｃのアクチュエーター２０ｃを所定量押さえても、閉動作停止スイッチ５ｃが故障により作動しなければ（図５（ａ）の状態）、モータ２は逆方向へ回動し続けて換気窓が更に閉鎖されると共に、カム部材４も閉鎖方向（図４の左回り）へ回動し続ける。閉安全カム１３の凸部１３ａが回転軸３ｂの上方（図４の上側）に位置すると、誤動作防止用スイッチ５ｂがオフとなり（図５（ｄ）の状態）、逆方向へのモータ２の回動は停止する。
【００６４】
このように、リミットスイッチ５が換気窓の開閉度に対応してオフとなることにより、換気窓の開けすぎや閉めすぎにより、換気窓周辺の部材や開閉装置に余計な負荷を掛け、換気窓周辺の部材を破損させたり、開閉装置を故障させることを確実に防止することができる。
【００６５】
次に、図４を参照して、開閉制御装置１の調整作業について説明する。本発明の開閉制御装置１では、カム部材４は、工場などで専用の治具を利用して予めユニット化してから回転軸３ｂへ取着される。
【００６６】
このユニット化では、換気窓が問題なく開閉可能な開閉量を開閉制御装置１に連係される開閉機構や換気窓のヒンジ構造などから予測し、その開閉量に応じて回転軸３ｂが回転する回転角を算出する。その算出された回転角に基づいて、全閉カム１１及び全開カム１２を配置する。
【００６７】
本実施例においては、回転軸３ｂは、換気窓が全閉状態から図４の右回りに略３／４周回転して全開状態となるので、全閉カム１１の凸部１１ａに対して全開カム１２の凸部１２ａを図４の右回りに略３／４周ずらした位置に配置する。閉安全カム１３及び開安全カム１４は、全閉カム１１及び全開カム１２に設けられた嵌合穴１１ｄ，１２ｄに突起１３ｄ，１４ｄを嵌合して配置する。
【００６８】
全閉カム１１、全開カム１２、閉安全カム１３及び開安全カム１４とを配置後に固定ビス１５をベース部材１０に締め付けることにより、相対位置の調整を済ませたカム部材４がユニット化される。
【００６９】
続いて、ユニット化されたカム部材４を現場にて開閉制御装置１に取着する。このカム部材４の取着時には、温室に換気窓が設置され、その換気窓に開閉機構や開閉制御装置１が据え付けた状態とされている。温室の換気窓は、上方へ開放され、下方へ閉鎖されるものが多く、これらの換気窓は、作業中では自重により完全に閉鎖されている。このように、換気窓が閉鎖された状態で、ユニット化されたカム部材４を回転軸３ｂに取着する。この取着時には、全閉カム１１の凸部１１ａを回転軸３ｂの上方（図４の上側）へ位置させ、閉動作停止スイッチ５ｃのアクチュエーター２０ｃを上方（図４の上側）へ押した状態に調整してから、カム部材４の止めねじ１６を締め付ける。アクチュエーター２０ｃを押された閉動作停止スイッチ５ｃはオフとなる（図５（ｂ）の状態）ので、モータ２の逆方向への回動は停止され、換気窓が更に無理に閉じられて破損することがない。
【００７０】
止めねじ１６が締め付けられてカム部材４が固定されると、全開カム１２の凸部１２ａは、全閉カム１１の凸部１１ａに対して予め開閉量に対応させて配置した位置に自動的に配置される。また、誤動作防止用スイッチ５ｂを作動させる閉安全用カム１３の凸部１３ａは、換気窓が閉鎖されるとき、全閉カム１１の凸部１１ａより略１０度遅れる位置に自動的に配置される。また、開安全用カム１４の凸部１４ａは、換気窓が開放されるとき、全開カム１２の凸部１２ａより略１０度遅れる位置に自動的に配置され、調整作業が完了する。
【００７１】
このように、本実施例のカム部材４では、カム部材４の凸部１１ａ〜１４ａの内、いずれか１つを適切な位置に合わせ、ユニット化された状態でカム部材４を取り付ければ、４つの凸部１１ａ〜１４ａは適切な位置に配置される。そのため、従来のように、複数のカム部材を別々に調整して取り付ける必要がない。よって、現場での調整作業が簡略化されるので、設置コストを十分に抑えることができる。
【００７２】
また、固定ビス１５によりユニット化されたカム部材４では、固定ビス１５を緩めることにより凸部１１ａ〜１４ａの相対位置を自在に調整することができるので、換気窓の開閉度に対してリミットスイッチ５を作動させるタイミングを任意に変更することができる。
【００７３】
例えば、開度を調整する場合には、回転軸３ｂにカム部材４が取着された状態で、全開カム１２及び開安全カム１４を固定する１の固定ビス１５を緩めて、凸部１２ａ，１４ａの位置を調整することができる。このとき、ベース部材１０を介して反対側に固定される全閉カム１１及び閉安全カム１３は、別の固定ビス１５によりベース部材１０に固定されたままとされ、不用意に動かされることがない。よって、調整作業を効率的に進めることができる。
【００７４】
また、例えば、開動作停止スイッチ５ａに対する誤動作防止用スイッチ５ｂの作動タイミングを変更したい場合には、開安全カム１４に設けられた突起１４ｂをペンチなどで切除することにより、全開カム１２の凸部１２ａに対する開安全カム１４の凸部１４ａの位置を自在に調整することができる。
【００７５】
さらに、複数の開閉制御装置１が設置された温室における換気窓の開閉度を変更する際には、まず、１台の開閉制御装置１に対して、換気窓を開閉しつつカム部材４に設けられた凸部１１ａ〜１４ａの相対位置を調整する。１台の開閉制御装置１の調整を終えれば、カム部材４の外縁に設けられた目盛（溝１０ｅ，１０ｆ，１３ｅ，１３ｆ，１４ｅ，１４ｆ）を利用して、調整を終えた凸部１１ａ〜１４ａの相対位置を確認することができる。その確認した凸部１１ａ〜１４ａの相対位置と略同一位置となるように未調整のカム部材４を調整すれば良く、２台目以降の開閉制御装置１の調整時間を短縮することができる。
【００７６】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００７７】
例えば、本実施例においては、カム部材４に設けられた４つの凸部１１ａ〜１４ａを、ノーマルクローズ（Ｂ接点）のリミットスイッチ５に接触させてリミットスイッチ５をオフさせたが、４つの凸部１１ａ〜１４ａの代わりにカム部材４に部分的に凹みを設け、その凹みにリミットスイッチのアクチュエーターを落とし込んで、ノーマルオープン（Ａ接点）のリミットスイッチをオフさせても良い。この結果、カム部材４が何らかの理由で脱落した場合にも確実にリミットスイッチ５を作動させることができる。
【００７８】
また、本実施例においては、２つの固定ビス１５を利用してベース部材１０の両側に、全閉カム１１及び閉安全カム１３と、全開カム１２及び開安全カム１４とを別々に連結固定してユニット化したが、ベース部材を筒状に形成し、そのベース部材の外縁に全開カム、全閉カム、開安全カム及び閉安全カムを並設しても良い。この場合には、全開カム、全閉カム、開安全カム及び閉安全カムのそれぞれの外縁から内部へ向けてねじ穴を別々に螺設し、螺設した４つのねじ穴に固定ビスをそれぞれ螺合してユニット化すれば良い。
【００７９】
【発明の効果】
請求項１から５のいずれかに記載の換気窓の開閉制御装置によれば、カム部材の全開カム、全閉カム、開安全カム及び閉安全カム（以下、これら４つのカムを各カムと称す。）を、固定手段により連結固定してユニット化することができるので、予め各カムの相対位置を調整しつつユニット化しておくことができる。また、そのユニット化されたカム部材を回転軸に取着する取り付け手段を備えている。即ち、予め各カムの相対位置が調整されたカム部材をユニット化された状態で回転軸に取着することができるので、現場では、１台の開閉制御装置に対してユニット化されたカム部材を所定位置へ位置させ取り付けるだけでよい。よって、従来のように、各カムについて別々に調整する必要がなく、作業を簡略化することができるという効果がある。また、固定手段により固定された各カムは、互いの相対位置を調整自在に固定されているので、全開カム又は全閉カムの相対位置を調整することにより、換気窓の開閉度を調整することができると共に、全開カムと開安全カムとの、又は全閉カムと閉安全カムとの相対位置を調整することにより、開動作停止スイッチ又は閉動作停止スイッチに対して誤動作防止用スイッチを作動させるタイミングを自在に調整することができるという効果がある。
【００８０】
請求項１記載の換気窓の開閉制御装置によれば、カム部材は、回転軸に取着されるベース部材を備えており、そのベース部材に各カムが少なくとも２以上の固定手段によりベース部材との相対位置を調整自在に固定されている。そのため、例えば、開度を調整するための全開カムと開安全カムとを一の固定手段により固定し、閉度を調整するための全閉カムと閉安全カムとを他の固定手段により固定することができる。よって、開度又は閉度の内、いずれか一方のカムを調整する際に他方のカムが動かされないので、調整作業を効率的に進めることができるという効果がある。
【００８１】
請求項２記載の換気窓の開閉制御装置によれば、全開カムと開安全カムとが、又は、全閉カムと閉安全カムとが位置保持手段により所定の相対位置で連結された状態に保持されるので、開動作停止スイッチ又は閉動作停止スイッチの作動に対して誤動作防止用スイッチを作動させるタイミングを変えることなく、換気窓の開度または閉度を調整することができるという効果がある。
【００８２】
請求項３記載の換気窓の開閉制御装置によれば、各カムは、その外縁に突設された凸部をそれぞれ備えており、リミットスイッチは、その凸部により押止された場合に作動する。ここで、リミットスイッチは、未使用状態が長期間続くと、そのスイッチを作動させる従動子が固着することがある。しかし、各カムの凸部がリミットスイッチを押止することにより、従動子の固着を強制的に外してリミットスイッチを作動させることができるので、モータの回動を確実に停止させることができるという効果がある。
【００８３】
請求項４記載の換気窓の開閉制御装置によれば、カム部材を構成する少なくとも１の部品の外縁には、等間隔に刻まれた目盛が設けられる。よって、各カムの相対位置を目盛に基づいて容易に調整することができるという効果がある。
【００８４】
請求項５記載の換気窓の開閉制御装置によれば、固定手段は、締結穴と、その締結穴に螺合される固定ビスと、その固定ビスの外径よりも大きな外形で各カムに穿設された調整孔とを備えている。よって、固定ビスを緩めることにより、固定ビスと、調整孔との間に生じる隙間を利用して各カムを移動することができるので、各カムの相対位置を容易に調整することができると共に、固定ビスを締め付けて各カムを容易に固定することができるという効果がある。
【００８５】
請求項６記載のカム部材によれば、請求項１から５のいずれかに記載の換気窓の開閉制御装置と同様の効果を奏するカム部材を提供することができるという効果がある。
【図面の簡単な説明】
【図１】  本発明の換気窓の開閉制御装置の正面図である。
【図２】  カム部材を分解して示した斜視図である。
【図３】  カム部材とリミットスイッチとを拡大して示した正面図である。
【図４】  カム部材とリミットスイッチとを示した側面図である。
【図５】  リミットスイッチの結線を示した回路図である。
【図６】  温室に設置された開閉制御装置を示す断面図である。
【符号の説明】
１                開閉制御装置
２                モータ
３ｂ              回転軸
４                カム部材
５                リミットスイッチ
５ａ              開動作停止スイッチ
５ｂ              誤動作防止用スイッチ
５ｃ              閉動作停止スイッチ
１０              ベース部材
１０ｂ            ねじ穴（固定手段の一部、締結穴）
１０ｃ            ねじ穴（取着手段の一部）
１０ｅ，１０ｆ，１３ｅ，１３ｆ，１４ｅ，１４ｆ    溝（目盛）
１１              全閉カム
１２              全開カム
１３              閉安全カム
１４              開安全カム
１１ａ〜１４ａ    凸部
１１ｃ〜１４ｃ    調整孔（固定手段の一部）
１１ｄ，１２ｄ    嵌合穴
１３ｄ，１４ｄ    突起
１５              固定ビス（固定手段の一部）
１６              止めねじ（取着手段の一部）
【図１】
0004741757.tif 000002
【図２】
0004741757.tif 000003
【図３】
0004741757.tif 000004
【図４】
0004741757.tif 000005
【図５】
0004741757.tif 000006
【図６】
0004741757.tif 000007